(57)【要約】【課題】  ＣＤへ記録する際の操作性、あるいは大判、厚手用紙へ記録する際の操作性の向上。【解決手段】  記録領域において被記録媒体へ記録を行う記録ヘッドと、略ストレート形状の搬送路を有して記録部へ被記録媒体又は被記録媒体を保持する保持部材を搬送するために被記録媒体又は保持部材を支持する支持部材を有する記録装置において、支持部材には被記録媒体又は保持部材を位置規制するためのガイド部材を被記録媒体又は保持部材の載置面より出没可能に有し、ガイド部材は被記録媒体又は保持部材の種類に応じて支持部材の被記録媒体又は保持部材の載置面より突出しない構成であるようにする。【選択図】  図１
2007118305.tif 000002
【特許請求の範囲】
【請求項１】
記録領域において被記録媒体へ記録を行う記録ヘッドと、略ストレート形状の搬送路を有して前記記録部へ被記録媒体又は被記録媒体を保持する保持部材を搬送するために被記録媒体又は前記保持部材を支持する支持部材を有する記録装置において、該支持部材には被記録媒体又は前記保持部材を位置規制するためのガイド部材を被記録媒体又は前記保持部材の載置面より出没可能に有し、該ガイド部材は被記録媒体又は前記保持部材の種類に応じて前記支持部材の被記録媒体又は前記保持部材の載置面より突出しない構成であることを特徴とするインクジェット記録装置。
【請求項２】
記録領域において被記録媒体へ記録を行う記録ヘッドと、前記被記録媒体を搬送する第１の搬送手段と、該第１の搬送手段より下流側に位置する第２の搬送手段とを有する記録部と、給紙装置から給紙された前記被記録媒体である記録シートを前記記録部へ搬送する第１の搬送路と、該第１の搬送路とは異なる略ストレート形状の第２の搬送路を有して前記記録部へ被記録媒体を搬送する記録装置において、前記第２の搬送路を用いて前記記録シートとは形態の異なる被記録媒体を保持する保持手段又は被記録媒体を搬送することを特徴とする請求項１に記載のインクジェット記録装置。
【請求項３】
前記支持手段は前記第２の搬送手段よりも下流側に配置され、前記被記録媒体又は前記保持部材は記録装置の排紙口側より挿入され、一端、上流側へ搬送された後、スイッチバックされ、記録を行いながら搬送されることを特徴とする請求項１あるいは請求項２に記載のインクジェット記録装置。
【請求項４】
前記保持部材は薄板形状部材であることを特徴とする請求項２に記載のインクジェット記録装置。
【請求項５】
前記保持部材に保持される前記被記録媒体は光記録媒体であることを特徴とする請求項２から請求項４のいずれかの項に記載のインクジェット記録装置。
【請求項６】
前記記録ヘッドはインクの飛翔液滴を吐出する吐出口をもったインクジェットヘッドであることを特徴とする請求項１から請求項５のいずれかの項に記載のインクジェット記録装置。
【請求項７】
前記記録ヘッドは熱エネルギーを用いてインクを吐出して記録を行うヘッドであって、インクに与える熱エネルギーを発生するための電気熱エネルギー変換体を備えていることを特徴とする請求項１から請求項６のいずれかの項に記載のインクジェット記録装置。
【発明の詳細な説明】
【技術分野】
【０００１】
本発明はインクジェット記録装置において、略ストレート形状の搬送路を使用した記録媒体の搬送に関するものである。
【背景技術】
【０００２】
ここではインクジェット方式による記録装置を従来例として説明する。
【０００３】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点があり、急速に普及が拡大している。
【０００４】
また、記録用インクや被記録材料の開発が進み、特に被記録材料としても普通紙以外に光沢紙、光沢フィルム、ボード紙やファインアート紙等の大判用紙や厚手用紙、円盤状の媒体への記録、例えばＣＤ（コンパクトディスク）表面への文字や図柄のプリント等の要求が高まってきている。
【０００５】
ＣＤに記録内容を明示するためのタイトルやメモを記載する方法として非記録面にラベルシールを貼る方法が一般的である。
【０００６】
また、最近ではサインペンやフェルトペン等で直接記載できるように印字領域が形成されたものもある。
【０００７】
また、ＣＤにおいては印刷領域に記載したい内容をパーソナルコンピュータを用いて印刷する装置が知られており、特に最近ではパーソナル向けのインクジェットプリンタにおいてもＣＤ印刷機能が備わったものがある。
【０００８】
このような装置は、特開２００４−０４２３８３、特開２００４−２４７００７で開示されているが、被記録媒体であるＣＤを保持部材であるトレイへ装着し、プリンタ本体へ装着されたトレイガイドの案内部にトレイを挿入し所定位置へセットした後、トレイは排紙ローラーによって給紙され、略ストレート形状の搬送路を通って、一端、上流側へ搬送された後、スイッチバックされ、搬送ローラー対によって搬送されて、記録ヘッドによって印刷を行うものである。
【特許文献１】特開２００４−０４２３８３号公報
【特許文献２】特開２００４−２４７００７号公報
【発明の開示】
【発明が解決しようとする課題】
【０００９】
上述従来例に示す装置において、トレイ又は大判、厚手用紙はトレイガイド部材に支持され、トレイガイド部材に設置された位置規制するためのガイド部材によって端部が規制されるようになっている。
【００１０】
しかしながら、記録に用いる媒体が大判用紙である場合は大判用紙をセットする際に、トレイ用のガイド部材の上に大判用紙が掛かってしまうため、トレイ用ガイド部材を取り外す等をしなければならなかった。
【００１１】
また逆に、記録に用いる媒体がＣＤである場合はトレイをセットする際に、大判用紙用のガイド部材の上にトレイが位置してしまうため、大判用ガイド部材を取り外す等をしなければならなかった。
【００１２】
さらに、従来、排紙トレイをトレイガイドとして兼用したものがあるが、このような装置はトレイ用のガイド部材が常時排紙トレイの上面から突出していたため、給紙装置からの記録紙への印刷時において排紙された記録紙がガイド部材に引っ掛かり、排紙不良を引き起こす場合があった。
【００１３】
以上のように従来の装置はとても操作性や信頼性に優れた装置ではなかった。
【課題を解決するための手段】
【００１４】
本発明は被記録媒体であるＣＤへ記録する際の操作性、あるいは大判、厚手用紙へ記録する際の操作性の向上を目的とし、記録領域において被記録媒体へ記録を行う記録ヘッドと、略ストレート形状の搬送路を有して記録部へ被記録媒体又は被記録媒体を保持する保持部材を搬送するために被記録媒体又は保持部材を支持する支持部材を有する記録装置において、支持部材には被記録媒体又は保持部材を位置規制するためのガイド部材を被記録媒体又は保持部材の載置面より出没可能に有し、ガイド部材は被記録媒体又は保持部材の種類に応じて支持部材の被記録媒体又は保持部材の載置面より突出しない構成であるようにしたものである。また、記録領域において被記録媒体へ記録を行う記録ヘッドと、被記録媒体を搬送する第１の搬送手段と、第１の搬送手段より下流側に位置する第２の搬送手段とを有する記録部と、給紙装置から給紙された被記録媒体である記録シートを記録部へ搬送する第１の搬送路と、第１の搬送路とは異なる略ストレート形状の第２の搬送路を有して記録部へ被記録媒体を搬送する記録装置において、第２の搬送路を用いて記録シートとは形態の異なる被記録媒体を保持する保持手段又は被記録媒体を搬送するようにしたものである。
【００１５】
また、支持手段は第２の搬送手段よりも下流側に配置され、被記録媒体又は保持部材は記録装置の排紙口側より挿入され、一端、上流側へ搬送された後、スイッチバックされ、記録を行いながら搬送されるようにしたものである。
【００１６】
また、保持部材は薄板形状部材であるようにしたものである。
【００１７】
また、保持部材に保持される被記録媒体は光記録媒体であるようにしたものである。
【００１８】
また、記録ヘッドはインクの飛翔液滴を吐出する吐出口をもったインクジェットヘッドであるようにしたものである。
【００１９】
また、記録ヘッドは熱エネルギーを用いてインクを吐出して記録を行うヘッドであって、インクに与える熱エネルギーを発生するための電気熱エネルギー変換体を備えているようにしたものである。
【発明の効果】
【００２０】
以上説明したように、本発明のインクジェット記録装置は、トレイ又は大判用紙を位置規制するためのサイドガイドをトレイガイドの載置面より出没可能な構成としたため、記録に用いる媒体が大判用紙であってもＣＤ印刷時のトレイ用のガイド部材を取り外すことなく印刷を行うことが出来るため操作性に優れた装置とすることが出来る。
【００２１】
また、排紙トレイをトレイガイドとして兼用したもので排紙トレイの上面よりサイドガイドが突出しないようにしたものは、給紙装置からの記録紙への印刷において排紙される記録紙がサイドガイドに引っ掛かる可能性がないため排紙不良を引き起こすことがない信頼性に優れた装置とすることが出来る。
【発明を実施するための最良の形態】
【００２２】
（実施例１）
本発明の実施例１を図１、図２を用いて説明する。自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（II）送紙部、（III）キャリッジ部、（IV）クリーニング部、（Ｖ）排紙部の説明をする。
【００２３】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００２４】
上記構成において、待機状態ではリリースカム２９が圧板２１を所定位置まで押し下げている。これにより、圧板２１と給送回転体２２の当接は解除される。そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００２５】
（II）送紙部
送紙部３は記録紙Ｐを搬送する搬送ローラー３６とＰＥセンサー３２を有している。搬送ローラー３６には従動するピンチローラー３７が当接して設けられている。
【００２６】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００２７】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサ−レバ−３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００２８】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００２９】
（III）キャリッジ部
キャリッジ部５は、記録ヘッド７を取り付けるキャリッジ５０を有している。そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシー８に取り付けられている。また、キャリッジ５０はシャーシー８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００３０】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００３１】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００３２】
（IV）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００３３】
（Ｖ）排紙部
排紙部４には２本の排紙ローラー４１，４１Ａが設けられている。搬送ローラー３６と排紙ローラー４１及び排紙ローラー４１と排紙ローラー４１Ａは後述のギア４０、４０Ａによって連結され、搬送ローラー３６の駆動力が排紙ローラー４１，４１Ａに伝達される。
【００３４】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、排紙ローラー４１、４１Ａと拍車４２、４２ａとに挟まれ、搬送されて排紙トレイ１００に排出される。
【００３５】
次に本発明に係る形態の異なる被記録媒体であるＣＤ（コンパクトディスク）について図３、図４を用いて説明する。
【００３６】
尚、ＣＤの搬送、記録に関する構成及び動作は特願２００２−２０１７６１、２００２−２０１８３０で説明しているためここでは特に本発明の要点について説明する。
【００３７】
図３はプリンタ本体にＣＤユニット１０１と記録媒体であるＣＤを装着したトレイをセットした状態を示す斜視図、図４（ａ）、（ｂ）はトレイを位置規制するガイド部材を示す断面図である。
【００３８】
図３においてＣＤを装着されたトレイ１０６はトレイガイド１０３にセットされている。
【００３９】
トレイガイド１０３にはトレイ１０６を側方から所定圧で付勢するローラー１１０が設けられ、トレイ１０３はローラー１１０と対向側へ押し付けられて位置決めされている。
【００４０】
図４（ａ）はＣＤへの印刷状態を示し、トレイ１０６の端部は上述のローラー１１０で付勢されている。
【００４１】
ローラー１１０はローラーホルダ１１１に回転可能に付けられ、ローラーホルダ１１１はサイドガイド１１２に取付けられている。
【００４２】
ローラーホルダ１１１はバネ１１３によってトレイ１０６方向に付勢され、バネ１１３の力でローラー１１０はトレイ１０６に当接している。
【００４３】
図４（ｂ）は大判用紙への印刷を行う状態を示し、大判用紙がセンサ１１７で検出されると駆動源であるモーター１１５の回動によってモーターギア１１６、伝達ギア１１４を介して連結されたラック部１１２Ａを有するサイドガイド１１２は下降し、トレイガイド１０６の上面から突出することなく、略同一面となる。
【００４４】
トレイガイド１０６の記録媒体載置面に突出するものがなくなるため大判用紙をセットすることが出来、記録を行うことが出来る。
【００４５】
また、ＣＤへ印刷を行う時はローラー１１０と対向側に不図示のセンサが有り、センサでトレイを検出するとＣＤへの印刷モードとなり、ローラー１１０を有するサイドガイド１１２は上昇してトレイガイド１０３の上面より突出してトレイ１０６を位置決め出来るようになる。
【００４６】
本実施例では、センサ１１７は非接触の光学式センサとしたが機械式センサであっても良いものである。
【００４７】
排紙トレイをトレイガイドとして兼用したものは給紙装置からの記録紙へ印刷する際に、排紙トレイ内にサイドガイドを収納し、排紙トレイの上面にガイド部材が突出することがないようにすることが出来る。
【００４８】
（実施例２）
図５は記録装置の記録媒体を位置規制するガイド部材を示す断面図である。
【００４９】
本実施例に示す記録装置は大判用紙を位置規制するためにサイドガイド１２０を有し、大判用紙の端部をサイドガイド１２０で当接して位置決めを行っている。
【００５０】
以下、その動作については第１の実施例で述べたものと略同様である。
【００５１】
ここで、実施例１、２ではサイドガイドの駆動源としてモーターを使用したが、電磁ソレノイドを使用しても良い。
【００５２】
また、実施例においてインクジェット記録装置を例にあげて説明したが、インクジェット以外の溶融型や昇華型等の熱転写方式の記録装置であっても良い。
【図面の簡単な説明】
【００５３】
【図１】本発明のインクジェット記録装置の一実施例の全体構成を示す斜視図である。
【図２】本発明のインクジェット記録装置の一実施例の側面からの構成断面図である。
【図３】本発明に係わる記録装置の搬送部の側面からの断面図である。
【図４】本発明に係わる記録装置のトレイを位置規制するガイド部材を示す断面図である。
【図５】実施例２の記録装置の記録媒体を位置規制するガイド部材を示す断面図である。
【符号の説明】
【００５４】
１  記録装置
２  給紙部
３  送紙部
４  排紙部
５  キャリッジ部
６  クリーニング部
７  記録ヘッド
８  シャーシー
２０  ベース
２１  圧板
２２  給送回転体
２４  圧板バネ
３０  ピンチローラーホルダー
３４  プラテン
３６  搬送ローラー
３７  ピンチローラー
４０  伝達ギア
４０Ａ  伝達ギア
４１  排紙ローラー
４１Ａ  排紙ローラー
４２  拍車
４２Ａ  拍車
４３  拍車ベース
５０  キャリッジ
９９  下ケース
１０１  ＣＤユニット
１０２  スライドカバー
１０３  トレイガイド
１０６  トレイ
１１０  ローラー
１１１  ローラーホルダ
１１２  サイドガイド
１１３  バネ
１１４  伝達ギア
１１５  モーター
１１６  モーターギア
１２０  サイドガイド
１２１  モーター
１２２  モーターギア
１２３  伝達ギア
【図１】
2007118305.tif 000003
【図２】
2007118305.tif 000004
【図３】
2007118305.tif 000005
【図４】
2007118305.tif 000006
【図５】
2007118305.tif 000007